(57)【要約】【課題】利用者の呼気に含まれる物質を無意識に検出すること。【解決手段】電子機器（携帯電話）１Ａは、通話に用いられる。電子機器１Ａは、通話時に音声が入力される音声入力部８と、音声入力部８の近傍に配設され、気体に含まれる物質を検出するセンサ４とを有する。このような構成により、通話時に利用者が音声入力部８の近くで声を発すると、そのときに生じる呼気がセンサ４に到達する。こうして、利用者が意識することなく、利用者の呼気に含まれる物質が、センサ４によって検出される。【選択図】図５
2014007586.tif 000002
【特許請求の範囲】
【請求項１】
通話に用いられる電子機器において、
通話時に音声が入力される音声入力部と、
前記音声入力部の近傍に配設され、気体に含まれる物質を検出するセンサと
を有する電子機器。
【請求項２】
通話時に音声を取り込むための開口部が設けられた筐体をさらに有し、
前記音声入力部および前記センサは、前記筐体内の前記開口部に対向する位置に配設される請求項１に記載の電子機器。
【請求項３】
前記センサは、前記開口部から取り込まれる気体に含まれる物質を検出するように配設される請求項２に記載の電子機器。
【請求項４】
前記センサは、前記音声入力部と隣り合うように配設される請求項１に記載の電子機器。
【請求項５】
前記センサは、前記電子機器の所定の面のうち、前記音声入力部が配置される面側に配設される請求項１に記載の電子機器。
【請求項６】
前記センサは、前記音声入力部が配置される面側であって、当該電子機器の端部に配設される請求項５に記載の電子機器。
【請求項７】
前記センサは、前記電子機器の所定の面のうち、前記音声入力部が配置される面に隣接する面に配設される請求項１に記載の電子機器。
【請求項８】
前記センサは、前記音声入力部と一体の部品として形成される請求項１に記載の電子機器。
【請求項９】
前記電子機器の所定の面のうち、前記センサが配置される面側とは異なる面側に配設され、第２の気体に含まれる物質を検出する第２センサをさらに備える請求項１に記載の電子機器。
【請求項１０】
前記第２センサの検出結果に基づいて、前記センサの検出結果から前記第２の気体の影響を除去するコントローラをさらに備える請求項９に記載の電子機器。
【発明の詳細な説明】
【技術分野】
【０００１】
本出願は、気体に含まれる物質を検出する機能を有する電子機器に関する。
【背景技術】
【０００２】
人間の呼気に含まれる物質を検出し、検出結果を健康管理等の目的に利用する技術が知られている。例えば、特許文献１では、呼気中に少量含まれる特定のガス成分を容易に捕集するとともに、そのガス成分の濃度を精度高く測定するための呼気測定装置が開示されている。
【先行技術文献】
【特許文献】
【０００３】
【特許文献１】特開２０１０−０２５７２０号公報
【発明の概要】
【発明が解決しようとする課題】
【０００４】
上記の呼気測定装置を利用する場合、利用者は、呼気測定装置の所定箇所に対して息を吹きかける。呼気に含まれる物質を検出するためのこのような動作は、利用者にとって煩わしいことがある。このような理由から、利用者の呼気に含まれる物質を無意識に検出することができる電子機器に対するニーズがある。
【課題を解決するための手段】
【０００５】
１つの態様に係る電子機器は、通話に用いられる電子機器において、通話時に音声が入力される音声入力部と、前記音声入力部の近傍に配設され、気体に含まれる物質を検出するセンサとを有する。
【図面の簡単な説明】
【０００６】
【図１】図１は、第１の実施形態に係る携帯電話の正面図である。
【図２】図２は、第１の実施形態に係る携帯電話のＡ−Ａ断面図である。
【図３】図３は、第１の実施形態に係る携帯電話のＢ−Ｂ断面図である。
【図４】図４は、第１の実施形態に係る携帯電話のＣ−Ｃ断面図である。
【図５】図５は、第１の実施形態に係る携帯電話のブロック図である。
【図６】図６は、第１の変形例に係る携帯電話の正面図である。
【図７】図７は、第２の変形例に係る携帯電話の正面図である。
【図８】図８は、第２の変形例に係る携帯電話のＤ−Ｄ断面図である。
【図９】図９は、第２の実施形態に係る携帯電話の正面図である。
【図１０】図１０は、第２の実施形態に係る携帯電話の背面図である。
【図１１】図１１は、第２の実施形態に係る携帯電話のＥ−Ｅ断面図である。
【図１２】図１２は、第２の実施形態に係る携帯電話のＦ−Ｆ断面図である。
【図１３】図１３は、第２の実施形態に係る携帯電話のＧ−Ｇ断面図である。
【図１４】図１４は、第２の実施形態に係る携帯電話のブロック図である。
【図１５】図１５は、気体に含まれるある物質の検出の例を示す図である。
【図１６】図１６は、物質の検出処理の処理手順を示すフローチャートである。
【発明を実施するための形態】
【０００７】
本発明を実施するための実施形態を、図面を参照しつつ詳細に説明する。以下では、気体に含まれる物質を検出する機能を有する電子機器の例として、携帯電話について説明する。
【０００８】
（実施形態１）
図１から図５を参照しながら、第１の実施形態に係る携帯電話１Ａの構成について説明する。図１は、携帯電話１Ａの正面図である。図２は、携帯電話１ＡのＡ−Ａ断面図である。図３は、携帯電話１ＡのＢ−Ｂ断面図である。図４は、携帯電話１ＡのＣ−Ｃ断面図である。図５は、携帯電話１Ａのブロック図である。
【０００９】
図１から図５に示すように、携帯電話１Ａは、タッチスクリーンディスプレイ２と、ボタン３と、センサ４と、通信ユニット６と、レシーバ７と、マイク（音声入力部）８と、ストレージ９と、コントローラ１０と、筐体４０とを有する。筐体４０は、複数の面４１〜４６を有し、それらの面の内側及び外側で各種の部品を保持する。
【００１０】
タッチスクリーンディスプレイ２は、筐体４０の面４１に設けられる。タッチスクリーンディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。表示デバイスは、文字、画像、記号、及び図形等を表示する。
【００１１】
タッチスクリーンディスプレイ２は、さらにタッチスクリーン（タッチセンサ）を備える。タッチスクリーンは、接触を検出する。タッチスクリーンは、指、ペン、又はスタイラスペン等による利用者のジェスチャ（接触操作）を検出するために用いられる。タッチスクリーンの検出方式は、静電容量方式、抵抗膜方式、表面弾性波方式（又は超音波方式）、赤外線方式、電磁誘導方式、及び荷重検出方式等の任意の方式でよい。タッチスクリーンディスプレイ２は、タッチスクリーンを備えない単なる表示ユニットであってもよい。
【００１２】
ボタン３は、利用者からの操作入力を受け付ける。ボタン３の数は、図１に示す例に限定されない。ボタン３は、例えば、テンキー配列又はＱＷＥＲＴＹ配列のボタンを含んでもよい。
【００１３】
センサ４は、気体に含まれる物質を検出する。センサ４は、嗅覚センサ、匂いセンサ、又は呼気センサと呼ばれることもある。センサ４が検出する物質には、各種の化学物質が含まれる。センサ４が検出する物質には、例えば、口臭の程度の判定、飲酒の判定、ストレスの診断、がん等の疾病の早期発見等に用いられる物質が含まれる。センサ４が検出する物質は、人又は動物が嗅覚によって検出不能な物質であってもよい。センサ４は、複数の物質を選択的に検出することができるように構成されてもよい。
【００１４】
センサ４は、表面弾性波（ＳＡＷ：Ｓｕｒｆａｃｅ  Ａｃｏｕｓｔｉｃ  Ｗａｖｅ）デバイスとして構成されてもよい。表面弾性波デバイスは、低電力化及び高集積化に有利であり、そのため、バッテリで駆動され、小型化が求められる携帯電話に備えるのに好適である。
【００１５】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００１６】
レシーバ７は、音声出力部である。レシーバ７は、コントローラ１０から送信される音声信号を音声として出力する。レシーバ７は、例えば、通話時に相手の声を出力するために用いられる。マイク８は、音声入力部である。マイク８は、入力される音を電気信号へ変換する。マイク８は、例えば、通話時に利用者の声を入力するために用いられる。
【００１７】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００１８】
ストレージ９は、例えば、制御プログラム９Ａ、判定プログラム９Ｂ、及び設定データ９Ｚを記憶する。制御プログラム９Ａは、携帯電話１Ａの基本的な動作を実現するための機能を提供する。制御プログラム９Ａによって提供される機能には、例えば、センサ４を制御して、気体に含まれる物質を検出する機能が含まれる。判定プログラム９Ｂは、センサ４が検出する物質に基づいて、各種の判定処理を行う機能が含まれる。判定プログラム９Ｂが提供する機能による判定処理には、例えば、口臭の程度の判定、飲酒の判定、ストレスの診断、がん等の疾病の早期発見等のための処理が含まれる。設定データ９Ｚは、携帯電話１Ａの動作に関連する各種の設定に関する情報を含む。
【００１９】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、携帯電話１Ａの動作を統括的に制御して各種の機能を実現する。
【００２０】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、タッチスクリーンディスプレイ２、通信ユニット６、及びレシーバ７を含むが、これらに限定されない。コントローラ１０は、検出部の検出結果に応じて、制御を変更することがある。検出部は、例えば、タッチスクリーンディスプレイ２、ボタン３、センサ４、及びマイク８を含むが、これらに限定されない。
【００２１】
コントローラ１０は、例えば、制御プログラム９Ａを実行することにより、センサ４を制御して、気体に含まれる物質を検出する機能を実現する。
【００２２】
本実施形態において、面４１は、開口部４１ａ及び開口部４１ｂを有する。開口部４１ａは、通話時に利用者の音声を取り込むために設けられる。開口部４１ｂは、通話時に相手の音声を外部に出力するために設けられる。このため、開口部４１ａ及び開口部４１ｂは、通話時に開口部４１ａが利用者の口の近くに位置し、開口部４１ｂが利用者の耳の近くに位置するように、一方が面４１の一方の端部に設けられ、もう一方が他方の端部に設けられる。
【００２３】
開口部４１ｂの内部には、レシーバ７が配設される。レシーバ７は、出力する音声が開口部４１ｂから外部に放出される向きで配設される。
【００２４】
開口部４１ａの内部には、センサ４及びマイク８が、近接して配設される。センサ４は、開口部４１ａから取り込まれる気体に含まれる物質が好適に検出される向きで配設される。具体的には、センサ４は、矢印Ａ２が示す向きで取り込まれる気体に含まれる物質が好適に検出される向きで配設される。マイク８は、開口部４１ａを通じて伝わる音声が好適に検出される向きで配設される。具体的には、マイク８は、矢印Ａ２と平行な矢印Ａ１が示す向きで伝わる音声が好適に検出される向きで配設される。
【００２５】
このように、センサ４は、マイク８の近傍に配設される。さらに、センサ４及びマイク８は、開口部４１ａに対向する位置に配設される。このため、利用者が通話時にマイク８が声を取得しやすいように開口部４１ａを口の近くにもっていくと、利用者の呼気は、マイク８だけでなく、センサ４へも到達する。その結果、利用者の呼気に含まれる物質が、センサ４によって検出される。
【００２６】
このような構成により、携帯電話１Ａは、通話が行われる場合に、利用者が通話のための操作以外の動作を特に行わなくても、利用者の呼気に含まれる物質を検出し、各種の判定に用いることができる。すなわち、携帯電話１Ａは、非侵襲かつ無意識に、利用者の呼気に含まれる物質を検出することができる。
【００２７】
上記のような効果を得るための構成は、図１から図４に示した構成に限定されない。より一般的には、上記のような効果を得るためには、センサ４が、マイク８の近傍に配設されていればよい。マイク８は、必ずしもレシーバ７と同一の面に配設されていなくてもよい。
【００２８】
センサ４が、マイク８の近傍に配設される態様について、図１から図４及び図６から図８を参照しながら説明する。図６は、第１の変形例に係る携帯電話１Ｂの正面図である。図７は、第２の変形例に係る携帯電話１Ｃの正面図である。図８は、携帯電話１ＣのＤ−Ｄ断面図である。
【００２９】
センサ４が、マイク８の近傍に配設される態様には、センサ４が、電子機器が有するいずれかの面の、マイク８が配設されている面側に配設される態様が含まれる。センサ４が、マイク８が配設されている面側に配設される態様には、図１から図４に示したように、センサ４及びマイク８が、面の内側に配設される態様が含まれる。さらに、センサ４が、マイク８が配設されている面側に配設される態様には、図６に示す携帯電話１Ｂのように、センサ４及びマイク８が、面の外側に配設される態様が含まれる。
【００３０】
マイク８は、筐体４０の内部に収容される基板の面に配設されてもよい。この場合、センサ４が、マイク８が配設されている面側に配設される態様には、センサ４が、基板の面のうち、マイク８が配設される面側に配設される態様が含まれる。なお、マイク８が、筐体４０の内部に収容される基板の面に配設される場合、マイク８が配設される基盤の面に対向する筐体の面においては、マイク８と対向する筐体の面の位置に開口部が形成される。
【００３１】
センサ４が、マイク８が配設されている面側に配設される場合、センサ４及びマイク８は、隣り合うように配置されてもよい。センサ４とマイク８との間は、隙間を空けなくてもよいし、隙間を空けてもよい。センサ４とマイク８との間に隙間を空ける場合、センサ４とマイク８との間の距離は、センサ４の感度に応じて決定してもよい。
【００３２】
既に説明したように、マイク８は、通話をし易くするためにレシーバ７から離れた端部に配設されることがある。この場合、センサ４が、マイク８の近傍に配設される態様には、図１から図４に示したように、センサ４が、マイク８が配設される端部に配設される態様が含まれる。さらに、この場合における、センサ４が、マイク８の近傍に配設される態様には、図７及び図８に示す携帯電話１Ｃのように、センサ４が、マイク８が配設される端部に隣接する他の面に配設される態様が含まれる。センサ４は、マイク８が配設される端部に隣接する他の面に設けられた開口部４３ａの内部に配設されてもよい。
【００３３】
携帯電話１Ｃにおいては、マイク８は、面４１の端部に配設され、センサ４は、当該端部において面４１に隣接する面４３に配設されている。このような態様であっても、通話中の利用者の呼気は、マイク８だけでなく、センサ４へも到達する。特に、比較的小型の携帯電話の場合、利用者が相手の声を聞くためにレシーバを耳に近づけると、複数の面のうち、面４３のように、レシーバから最も遠い底面が最も利用者の口元近くに位置することがある。このような場合、センサ４を底面に配設することにより、通話時に、利用者の呼気に含まれる物質を効果的に検出することができる。
【００３４】
センサ４が、異なる複数のセンサを組み合わせて構成されている場合、センサ４は、感度が低いセンサほどマイク８に近くなるように配設されてもよい。このように配設することにより、利用者がマイク８に向けて声を発するときに生じる呼気に含まれる物質を、それぞれのセンサが好適に検出することができる。
【００３５】
上述してきたように、第１の実施形態では、気体に含まれる物質を検出するセンサ４が、通話中の利用者の呼気が到達する位置に配設される。このため、本実施形態に係る電子機器は、通話時において、非侵襲かつ無意識に、利用者の呼気に含まれる物質を検出することができる。
【００３６】
（実施形態２）
図９から図１４を参照しながら、第２の実施形態に係る携帯電話１Ｄの構成について説明する。図９は、携帯電話１Ｄの正面図である。図１０は、携帯電話１Ｄの背面図である。図１１は、携帯電話１ＤのＥ−Ｅ断面図である。図１２は、携帯電話１ＤのＦ−Ｆ断面図である。図１３は、携帯電話１ＤのＧ−Ｇ断面図である。図１４は、携帯電話１Ｄのブロック図である。以下の説明では、既に説明した部分と同様の部分には、既に説明した部分と同一の符号を付すことがある。以下の説明では、既に行った説明と重複する説明を省略することがある。
【００３７】
図９から図１４に示すように、携帯電話１Ｄは、タッチスクリーンディスプレイ２と、ボタン３と、センサ４ａと、センサ（第２センサ）４ｂと、通信ユニット６と、レシーバ７と、マイク（音声入力部）８ａと、マイク（音声入力部）８ｂと、ストレージ９と、コントローラ１０と、筐体４０とを有する。
【００３８】
センサ４ａ及び４ｂは、センサ４と同様のセンサである。すなわち、センサ４ａ及び４ｂは、気体に含まれる物質を検出する。マイク８ａ及び８ｂは、マイク８と同様の音声入力部である。すなわち、マイク８ａ及び８ｂは、入力される音を電気信号へ変換する。
【００３９】
筐体４０の面４１は、開口部４１ａ及び開口部４１ｂを有する。開口部４１ａは、通話時に利用者の音声を取り込むために設けられる。開口部４１ｂは、通話時に相手の音声を外部に出力するために設けられる。このため、開口部４１ａ及び開口部４１ｂは、通話時に開口部４１ａが利用者の口の近くに位置し、開口部４１ｂが利用者の耳の近くに位置するように、一方が面４１の一方の端部に設けられ、もう一方が他方の端部に設けられる。
【００４０】
開口部４１ｂの内部には、レシーバ７が配設される。レシーバ７は、出力する音声が開口部４１ｂから外部に放出される向きで配設される。
【００４１】
開口部４１ａの内部には、センサ４ａ及びマイク８ａが、近接して配設される。センサ４ａは、開口部４１ａから取り込まれる気体に含まれる物質が好適に検出される向きで配設される。具体的には、センサ４ａは、矢印Ａ２が示す向きで取り込まれる気体に含まれる物質が好適に検出される向きで配設される。マイク８ａは、開口部４１ａを通じて伝わる音声が好適に検出される向きで配設される。具体的には、マイク８ａは、矢印Ａ２と平行な矢印Ａ１が示す向きで伝わる音声が好適に検出される向きで配設される。
【００４２】
筐体４０は、面４１の反対側に、面４６を有する。面４６は、開口部４６ａを有する。以下の説明では、面４１を正面と呼び、面４６を背面と呼ぶことがある。開口部４６ａは、通話時に携帯電話１Ｄを持つ手によって覆われる可能性が低い位置に設けられる。
【００４３】
開口部４６ａの内部には、センサ４ｂ及びマイク８ｂが、近接して配設される。センサ４ｂは、開口部４６ａから取り込まれる気体に含まれる物質が好適に検出される向きで配設される。具体的には、センサ４ｂは、矢印Ａ４が示す向きで取り込まれる気体に含まれる物質が好適に検出される向きで配設される。マイク８ｂは、開口部４６ａを通じて伝わる音声が好適に検出される向きで配設される。具体的には、マイク８ｂは、矢印Ａ４と平行な矢印Ａ３が示す向きで伝わる音声が好適に検出される向きで配設される。
【００４４】
マイク８ｂは、通話時に携帯電話１Ｄの周囲の音を取得するために用いられる。コントローラ１０は、マイク８ｂによって取得される音をノイズキャンセルのために用いる。具体的には、コントローラ１０は、通話時に、マイク８ｂから入力される音声信号を反転させ、マイク８ａから入力される音声信号に重ねる。このような制御により、通話の相手に送信される音声信号から、携帯電話１Ｄの周囲の音の成分を除去することができる。
【００４５】
センサ４ｂは、携帯電話１Ｄの周囲の気体に含まれる物質を検出するために用いられる。コントローラ１０は、センサ４ｂの検出結果を、センサ４ａの検出結果から携帯電話１Ｄの周囲の気体に含まれる物質の影響を除去するために用いる。具体的には、コントローラ１０は、通話時に、センサ４ａの検出値からセンサ４ｂの検出値を控除した値に基づいて、利用者の呼気に含まれる物質の濃度等を判定する。
【００４６】
図１５を参照しながら、第２の実施形態における物質の検出についてより詳しく説明する。図１５は、気体に含まれるある物質（以下、「物質Ａ」）の検出の例を示す図である。通話時にコントローラ１０がセンサ４ａを起動すると、センサ４ａが示す物質Ａの検出値は、例えば、線Ｌ１のように変化する。このときコントローラ１０は、センサ４ｂをさらに起動する。携帯電話１Ｄの周囲の気体に物質Ａが元々含まれている場合、センサ４ｂが示す物質Ａの検出値は、例えば、線Ｌ２のように変化する。
【００４７】
センサ４ａが物質Ａを検出する気体は、利用者の呼気と携帯電話１Ｄの周囲の気体とが混合された気体である。携帯電話１Ｄの周囲の気体（第２の気体）に物質Ａが元々含まれている場合、センサ４ａの検出値には、携帯電話１Ｄの周囲の気体の影響が含まれる。そのため、コントローラ１０は、センサ４ａの検出値からセンサ４ｂの検出値を控除する。例えば、コントローラ１０は、起動Ｔ０秒後のセンサ４ａの検出値Ｖ１から起動Ｔ０秒後のセンサ４ｂの検出値Ｖ２を減算した検出値Ｖ３を、利用者の呼気に含まれる物質Ａの濃度として、各種の判定処理に用いる。
【００４８】
図１６を参照しながら、第２の実施形態における物質の検出処理の処理手順について説明する。図１６は、物質の検出処理の処理手順を示すフローチャートである。図１６に示す処理手順は、通話時に実行される。図１６に示す処理手順に先だって、センサ４ａ及び４ｂが起動される。センサ４ａ及び４ｂが複数の物質を検出するために用いられる場合、図１６に示す処理手順は、物質毎に実行される。
【００４９】
コントローラ１０は、ステップＳ１０１として、背面側のセンサ４ｂの検出値を取得する。コントローラ１０は、ステップＳ１０２として、正面側のセンサ４ａの検出値を取得する。ステップＳ１０１及びＳ１０２の実行順序は逆でもよい。そして、コントローラ１０は、ステップＳ１０３として、センサ４ａの検出値からセンサ４ｂの検出値を控除する。
【００５０】
このように、携帯電話１Ｄの周囲の気体に含まれる物質を検出することにより、利用者の呼気に含まれる物質の検出精度を向上させることができる。ただし、通話時には、利用者が声を発することにより、利用者の呼気に含まれる物質が、携帯電話１Ｄの周囲の気体中に拡散する。このような拡散の影響を低減するため、周囲の気体に含まれる物質を検出するためのセンサは、呼気に含まれる物質を検出するためのセンサが配設される面とは異なる面に配設してもよい。さらに、図９から図１３に示したように、周囲の気体に含まれる物質を検出するためのセンサは、呼気に含まれる物質を検出するためのセンサが配設される面の反対側の面に配設してもよい。
【００５１】
センサ４ａ及びマイク８ａの配置は、上述したセンサ４及びマイク８の配置のように適宜変更してもよい。センサ４ｂは、マイク８ｂと近接するように配設されなくてもよい。携帯電話１Ｄは、通話時のノイズキャンセル機能を持たなくてもよい。すなわち、携帯電話１Ｄは、マイク８ｂを備えなくてもよい。
【００５２】
上述してきたように、異なる面に配設された複数のセンサを用いることにより、非侵襲かつ無意識であることを維持しつつ、利用者の呼気に含まれる物質をより高い精度で検出することができる。
【００５３】
本出願の開示する実施形態は、当業者に明らかな事項を含むことができ、発明の要旨及び範囲を逸脱しない範囲で変形することができる。さらに、本出願の開示する実施形態及びその変形例は、適宜組み合わせることができる。例えば、上記の実施形態は、以下のように変形してもよい。
【００５４】
センサ４は、マイク８と一体の部品として構成されてもよい。センサ４ａは、マイク８ａと一体の部品として構成されてもよい。このように、センサをマイクと一体の部品として構成することにより、センサがマイクの近傍に配置されることが保証される。さらに、例えば、マイクの周囲にそれぞれ特有の物質を検出する複数のセンサを配置することにより、スペースを節約しつつ、通話の際の呼気に含まれる多様な物質を検出することが可能になる。
【００５５】
上記の実施形態では、利用者の呼気に含まれる物質を通話時に検出する例について説明したが、利用者の呼気に含まれる物質を検出するタイミングはこれに限定されない。マイクの近傍に配設されたセンサを用いて利用者の呼気に含まれる物質を検出するタイミングは、利用者が、マイクの近くで声を発するタイミングであればよい。利用者が、マイクの近くで声を発するタイミングは、例えば、音声入力による指示を行うとき、音声を録音するときを含む。
【００５６】
上記の実施形態では、添付の請求項に係る装置の例として、スレート型（ストレート型）携帯電話について説明したが、添付の請求項に係る装置は、これに限定されない。添付の請求項に係る装置は、例えば、折り畳み型、スライド型等の他のタイプの携帯電話であってもよい。添付の請求項に係る装置は、携帯電話以外の、音声入力部を有する電子機器であってもよい。音声入力部を有する電子機器は、例えば、ヘッドセット、タブレット、携帯型パソコン、デジタルカメラ、メディアプレイヤ、電子書籍リーダ、ナビゲータ、及びゲーム機を含むが、これらに限定されない。
【００５７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【００５８】
上記の実施形態において、電子機器の所定の面とは、筐体４０の複数の面４１〜４６であってもよいし、筐体４０の内部に収容される基板の面（表面、裏面）であってもよい。
【符号の説明】
【００５９】
１Ａ〜１Ｄ  携帯電話
２  タッチスクリーンディスプレイ
３  ボタン
４、４ａ、４ｂ  センサ
６  通信ユニット
７  レシーバ
８、８ａ、８ｂ  マイク
９  ストレージ
９Ａ  制御プログラム
９Ｂ  判定プログラム
９Ｚ  設定データ
１０  コントローラ
４０  筐体
４１ａ、４１ｂ、４６ａ  開口部
【図１】
2014007586.tif 000003
【図２】
2014007586.tif 000004
【図３】
2014007586.tif 000005
【図４】
2014007586.tif 000006
【図５】
2014007586.tif 000007
【図６】
2014007586.tif 000008
【図７】
2014007586.tif 000009
【図８】
2014007586.tif 000010
【図９】
2014007586.tif 000011
【図１０】
2014007586.tif 000012
【図１１】
2014007586.tif 000013
【図１２】
2014007586.tif 000014
【図１３】
2014007586.tif 000015
【図１４】
2014007586.tif 000016
【図１５】
2014007586.tif 000017
【図１６】
2014007586.tif 000018